(57)【特許請求の範囲】
【請求項１】
走行用のモーター(8)を駆動する駆動用二次電池(1)と、電装用二次電池(2)と、駆動用二次電池(1)の出力電圧を電装用二次電池(2)を充電する電圧に変換する降圧回路(3)と、電装用二次電池(2)の出力電圧を駆動用二次電池(1)を充電する電圧に変換する昇圧回路(4)と、降圧回路(3)を介して駆動用二次電池(1)で電装用二次電池(2)を充電する共に、昇圧回路(4)を介して電装用二次電池(2)で駆動用二次電池(1)を充電する電池制御回路(5)とを備え、
電池制御回路(5)が降圧回路(3)と昇圧回路(4)を制御して、駆動用二次電池(1)と電装用二次電池(2)の間で相互に充放電し、
駆動用二次電池(1)の内部抵抗を検出し、メモリー効果により内部抵抗が設定値よりも大きくなると、降圧回路(3)でもって駆動用二次電池(1)で電装用二次電池(2)を充電して駆動用二次電池(1)を設定値まで放電することを特徴とするハイブリッドカー用の電源装置。
【請求項２】
駆動用二次電池(1)の電圧または残容量が設定値まで低下すると、電装用二次電池(2)で駆動用二次電池(1)を充電する請求項１に記載されるハイブリッドカー用の電源装置。
【発明の詳細な説明】
【０００１】
【発明の属する技術分野】
本発明は、エンジンとモーターの両方で走行するハイブリッドカーに搭載される電源装置に関する。
【０００２】
【従来の技術】
ハイブリッドカーは、走行用のモーターを駆動する駆動用二次電池と、電装品に電力を供給するための電装用二次電池を備える電源装置を搭載している。駆動用二次電池と電装用二次電池は、各々の用途に要求される特性から、駆動用二次電池として、主としてニッケル−水素電池が使用され、電装用二次電池として鉛電池が使用される。駆動用二次電池のニッケル−水素電池は、重量と容量に対する容量を大きくできる特長がある。電装用二次電池の鉛電池は低コストで内部抵抗が小さく、低電圧でセルモーターを駆動できる特長がある。
【０００３】
駆動用二次電池と電装用二次電池には、異なるタイプの電池が使用されるので、各々の電池特性は長所と短所がある。たとえば、駆動用二次電池に主に使用されるニッケル−水素電池は、鉛電池に比較して充電効率が高く、高エネルギー密度にできる特長はあるが、温度特性が鉛電池に比較して悪く、また自己放電が多くて長期保存特性が悪くなる欠点がある。これに対して電装用二次電池の鉛電池は、ニッケル−水素電池に比較して温度特性と長期保存特性は優れているが、充電効率が悪い欠点がある。さらに、駆動用二次電池は、多数の二次電池を直列に接続しているので、電装用二次電池に比較して極めて高価である。このため、いかにして長い寿命にできるかが極めて大切である。
【０００４】
【発明が解決しようとする課題】
従来のハイブリッドカーの電源装置は、駆動用二次電池と電装用二次電池を各々独立して制御しているので、駆動用二次電池を必ずしも理想的な状態で使用できない欠点がある。たとえば、温度が低いときに駆動用二次電池でモーターを駆動するとき、駆動用二次電池が効率よくモーターを駆動できなくなる欠点がある。駆動用二次電池に使用されるニッケル−水素電池が温度特性が低温で低下するからである。また、ハイブリッドカーを長い期間使用しないときに、駆動用二次電池の劣化が甚だしくなることがある。駆動用二次電池の残容量が少なくなって過放電状態となることがあるからである。ハイブリッドカーは、エンジンで発電機を駆動して充電するので、走行しないと充電されず、過放電状態となることがある。さらに、多数の二次電池を直列に接続している駆動用二次電池は、使用するにしたがって、各々の電池特性にアンバランスが発生する。電池のアンバランスは、特定の二次電池の劣化を甚だしくする。残容量が少なくなる二次電池が過放電ぎみになり、残容量の大きい電池が過充電ぎみになるからである。
【０００５】
本発明は、駆動用二次電池と電装用二次電池を相互に充放電することにより、両電池の好ましい特性を有効に活用し、駆動用二次電池と電装用二次電池をより理想に近い状態で使用できるようにしてなるハイブリッドカー用の電源装置を提供することを目的とする。
【０００６】
【課題を解決するための手段】
本発明のハイブリッドカー用の電源装置は、走行用のモーター８を駆動する駆動用二次電池１と、電装用二次電池２と、駆動用二次電池１の出力電圧を電装用二次電池２を充電する電圧に変換する降圧回路３と、電装用二次電池２の出力電圧を駆動用二次電池１を充電する電圧に変換する昇圧回路４と、降圧回路３を介して駆動用二次電池１で電装用二次電池２を充電する共に、昇圧回路４を介して電装用二次電池２で駆動用二次電池１を充電する電池制御回路５とを備える。電源装置は、電池制御回路５が降圧回路３と昇圧回路４を制御して、駆動用二次電池１と電装用二次電池２の間で相互に充放電する。
【０００７】
駆動用二次電池１は、ニッケル−水素電池、ニッケル−カドミウム電池、リチウムイオン二次電池のいずれかとすることができる。電装用二次電池２は、鉛電池、リチウム二次電池のいずれかとすることができる。電源装置、好ましくは、駆動用二次電池１をニッケル−水素電池とし、電装用二次電池２を鉛電池とする。
【０００８】
電池制御回路５は、駆動用二次電池１と電装用二次電池２の電池電圧を検出し、電池電圧が設定値よりも低下しないように、駆動用二次電池１と電装用二次電池２の間で充放電させることができる。さらに、電池制御回路５は、駆動用二次電池１と電装用二次電池２の残容量を検出し、残容量が設定値よりも低下しないように、駆動用二次電池１と電装用二次電池２の間で充放電させることもできる。電池制御回路５は、好ましくは、駆動用二次電池１の残容量と電装用二次電池２の電池電圧を検出し、これらの残容量と電池電圧が設定値よりも低下しないように、駆動用二次電池１と電装用二次電池２の間で充放電させる。
【００１１】
さらに、本発明の電源装置は、駆動用二次電池１の内部抵抗を検出し、内部抵抗が設定値よりも大きくなると、降圧回路３でもって駆動用二次電池１で電装用二次電池２を充電して駆動用二次電池１を設定値まで放電する。この電源装置は、駆動用二次電池１のメモリ効果を有効に解消できる特長がある。さらに、この電源装置は、好ましくは、駆動用二次電池１の電圧または残容量が設定値まで低下すると、電装用二次電池２で駆動用二次電池１を充電する。この電源装置は、放電される駆動用二次電池１の電力を無駄に消費することなく電装用二次電池２の充電に有効利用しながら駆動用二次電池１のメモリ効果を解消できる。
【００１５】
【発明の実施の形態】
以下、本発明の実施例を図面に基づいて説明する。ただし、以下に示す実施例は、本発明の技術思想を具体化するためのハイブリッドカーを例示するものであって、本発明はハイブリッドカーを以下のものに特定しない。
【００１６】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１７】
図１に示すハイブリッドカーの電源装置は、走行用のモーター８を駆動する駆動用二次電池１と、ハイブリッドカーの電装品９に電力を供給する電装用二次電池２と、駆動用二次電池１の出力電圧を電装用二次電池２を充電する電圧に変換する降圧回路３と、電装用二次電池２の出力電圧を駆動用二次電池１を充電する電圧に変換する昇圧回路４と、降圧回路３を介して駆動用二次電池１で電装用二次電池２を充電する共に、昇圧回路４を介して電装用二次電池２で駆動用二次電池１を充電する電池制御回路５と、発電機７の出力を制御して駆動用二次電池１と電装用二次電池２を充電する電池充電回路６とを備える。
【００１８】
駆動用二次電池１は、複数の二次電池を直列に接続して、出力電圧を約１５０〜３００Ｖとしている。二次電池はニッケル−水素電池である。ただ、駆動用二次電池１の二次電池には、ニッケル−カドミウム電池やリチウムイオン二次電池等の高エネルギー密度の電池も使用できる。駆動用二次電池１は、たとえば５〜６本の二次電池を直列に直線状に接続している電池モジュールを直列に接続している。
【００１９】
電装用二次電池２は、出力電圧を１２Ｖとする鉛電池である。ただし、電装用二次電池２には、出力電圧を２４〜３６Ｖとする鉛電池も使用できる。さらに、電装用二次電池２には、リチウム二次電池等の優れた保存特性の電池も使用できる。電装用二次電池２は、電装品９に電力を供給するので駆動用二次電池１よりも出力電圧が低い。電装品９の消費電力が、ハイブリッドカーを走行させるモーター８よりも小さいからである。
【００２０】
降圧回路３は、駆動用二次電池１の出力で電装用二次電池２を充電するために、駆動用二次電池１の出力電圧を低下させる。たとえば、降圧回路３は、駆動用二次電池１の出力電圧を電装用二次電池２を充電できる出力電圧である１３〜１５Ｖに降圧する。駆動用二次電池１と電装用二次電池２は直流であるから、この降圧回路３はＤＣ／ＤＣコンバータである。ＤＣ／ＤＣコンバータは、直流をスイッチングして交流に変換し、交流をトランスで所定の電圧に降圧し、トランスの出力をダイオードで整流して直流に変換する。降圧回路３は、電池制御回路５に制御されて、電装用二次電池２の充電電流を制御する。たとえば、降圧回路３は、スイッチングするデューティー比を調整して、電装用二次電池２の充電電流を制御する。
【００２１】
昇圧回路４は、電装用二次電池２で駆動用二次電池１を充電するために、電装用二次電池２の出力電圧を、駆動用二次電池１を出力できる電圧まで高くする。この昇圧回路４もＤＣ／ＤＣコンバータである。したがって、降圧回路３と同じように、スイッチングするデューティー比を調整して、駆動用二次電池１の充電電流を制御することができる。
【００２２】
電池制御回路５は、高圧回路３と昇圧回路４を制御して、駆動用二次電池１と電装用二次電池２の間で相互に充放電して、すなわち、駆動用二次電池１で電装用二次電池２を充電し、また電装用二次電池２で駆動用二次電池１を充電することにより、両方の電池を理想に近い状態で充放電させる。電池制御回路５は、駆動用二次電池１と電装用二次電池２の過放電を防止するために、駆動用二次電池１と電装用二次電池２の電池電圧を検出して、電池電圧が設定値よりも低下しないように、駆動用二次電池１と電装用二次電池２の間で充放電させる。また、電池制御回路５は、駆動用二次電池１と電装用二次電池２の残容量を検出し、残容量が設定値よりも低下しないように、駆動用二次電池１と電装用二次電池２の間で充放電して、過放電を防止することもできる。
【００２３】
図２ないし図６は、電池制御回路５が、駆動用二次電池１と電装用二次電池２を相互に充放電するフローチャートを示している。
図２は、駆動用二次電池１を電装用二次電池２で充電して、駆動用二次電池１の残容量と内部抵抗を検出する。駆動用二次電池１は、内部抵抗が高くなると瞬時に大きな出力を発揮できなくなる。このため、内部抵抗が大きくなると、モーター８の出力が低下してハイブリッドカーをスムーズに走行できなくなる。駆動用二次電池１の内部抵抗は、メモリ効果で高くなり、また電極が不活性になって大きくなる。駆動用二次電池１の残容量が少なくなって過放電すると、電池性能が著しく低下するので、残容量を正確に検出することも大切である。ハイブリッドカーを走行させる状態で、駆動用二次電池１は大きく電流が変化して充放電されるので、内部抵抗と残容量を電圧から検出することができない。ハイブリッドカーを停止し、駆動用二次電池１が充放電されないで電圧が安定したことを検出して、定電流充電して内部抵抗と残容量を検出することは非常に有効である。電池電圧から内部抵抗と残容量を正確に検出できるからである。
【００２４】
図２は、以下のステップで駆動用二次電池１の内部抵抗と残容量を検出する。［ｎ＝１〜２のステップ］
機器が停止していること、すなわちハイブリッドカーが停止して、駆動用二次電池１が充放電されないことを確認する。駆動用二次電池１は、充放電させると、電池電圧が変動するので、ハイブリッドカーを停止して、駆動用二次電池１の電圧が変動しないことも確認する。すなわち、ハイブリッドカーが停止されて一定時間経過すると、駆動用二次電池１の電圧は安定する。
［ｎ＝３のステップ］
電池制御回路５が昇圧回路４を制御し、電装用二次電池２でもって駆動用二次電池１を定電流充電する。このステップは、駆動用二次電池１を一定の時間充電する。
［ｎ＝４のステップ］
一定時間にわたって定電流充電される駆動用二次電池１は、電圧が次第に上昇する。電池制御回路５は、駆動用二次電池１の電圧を検出する。
［ｎ＝５のステップ］
電池制御回路５は、駆動用二次電池１の電圧から残容量を検出する。駆動用二次電池１の残容量が大きいと電池電圧は高くなり、残容量が少ないと電池電圧は低くなる。したがって、電池制御回路５は、駆動用二次電池１の電圧をパラメターとして残容量を検出する。
［ｎ＝６のステップ］
電池制御回路５は、駆動用二次電池１の電圧から内部抵抗を算出する。駆動用二次電池１は、内部抵抗が高いと充電している電池電圧が高くなり、内部抵抗が低いと充電している電圧が低くなる。したがって、電池電圧を検出して駆動用二次電池１の内部抵抗を検出できる。
［ｎ＝７のステップ］
駆動用二次電池１の残容量と内部抵抗を検出した後、駆動用二次電池１の充電を停止する。
以上のフローチャートは、残容量と内部抵抗を検出した後に、駆動用二次電池１の充電を停止するが、駆動用二次電池１の充電を停止した後、残容量と内部抵抗を検出することもできる。
【００２５】
さらに、駆動用二次電池１は、電池温度が低くなると所定の出力を発揮できなくなる。とくに、駆動用二次電池１として使用されるニッケル−水素電池は、低温になると出力が低下する特性がある。電装用二次電池２に使用される鉛電池は、駆動用二次電池１に比較して低温特性が優れている。したがって、図３のフローチャートで示すように、電装用二次電池２を利用して駆動用二次電池１を加温することができる。このフローチャートは、以下のステップで駆動用二次電池１を加温する。
［ｎ＝１のステップ］
電池制御回路５は、駆動用二次電池１の電池温度が設定値よりも低下したかどうか、あるいは電池がさらに冷え続けるかどうかを検出する。
［ｎ＝２のステップ］
駆動用二次電池１の電池温度が設定値よりも低くなり、あるいは電池がさらに冷え続けるときは、駆動用二次電池１の出力が低下するので、電池制御回路５は、昇圧回路４を制御して電装用二次電池２で駆動用二次電池１を充電する。このステップは、タイマーで設定された時間が経過し、あるいは、充電容量が設定値となり、あるいはまた、駆動用二次電池１の電圧が設定値となると終了される。［ｎ＝３のステップ］
電池制御回路５は、降圧回路３を制御して駆動用二次電池１で電装用二次電池２を充電する。いいかえると、駆動用二次電池１を放電して電装用二次電池２を充電する。このステップは、タイマーで設定された時間が経過し、あるいは、放電容量が設定値となり、あるいはまた、電装用二次電池２の電圧が設定値となると終了される。
［ｎ＝４のステップ］
駆動用二次電池１の残容量を検出し、検出した残容量が設定値以上のときは、ｎ＝２のステップにジャンプし、駆動用二次電池１の充放電を繰り返す。検出した残容量が設定値より小さいときは、ｎ＝５のステップに進む。
［ｎ＝５のステップ］
駆動用二次電池１と電装用二次電池２との相互の充放電を停止させる。
以上の工程で、駆動用二次電池１は、放電と充電が繰り返されて、電池温度が次第に上昇する。以上のように、駆動用二次電池１を充放電させると、駆動用二次電池１の放電電力は電装用二次電池２の充電に利用され、さらに、駆動用二次電池１で充電された電装用二次電池２で駆動用二次電池１を充電するので、電池の電力を無駄に消費することなく、駆動用二次電池１を有効に加温できる。
【００２６】
図４は、電池制御回路５が駆動用二次電池１のメモリ効果を解消するフローチャートを示す。駆動用二次電池１がメモリ効果で内部抵抗が大きくなって、そのまま増加し続けると期待できる出力を発揮できなくなる。このとき、メモリ効果を解消するために深く放電する。とくに、ハイブリッドカーの駆動用二次電池１は、できるかぎり電池性能を低下させないように充放電されるので、メモリ効果で内部抵抗が増加しやすい。すなわち、電池性能の低下を少なくするために、駆動用二次電池１は、残容量を５０％を中心する近傍に制御しながら充放電される。残容量がこの領域となるように充放電される二次電池は、過充電や過放電を防止して電池性能の低下を最も少なくできる。ただ、この領域での充放電は、メモリ効果が発生しやすい。メモリ効果は、ニッケル−水素電池やニッケル−カドミウム電池等の二次電池の内部抵抗を増加させ、また電極を不活性にする。
【００２７】
電池制御回路５は、図４のフローチャートで示すように、電装用二次電池２を放電して、以上の弊害を解消する。
［ｎ＝１のステップ］
電池制御回路５は、電池の内部抵抗が設定値よりも大きいかどうか、あるいは内部抵抗がさらに増加し続けるかどうかを検出する。
［ｎ＝２〜４のステップ］
電池の内部抵抗が設定値よりも大きく、あるいは増加し続けると、電池制御回路５は、降圧回路３を制御して、駆動用二次電池１を放電して電装用二次電池２を充電する。駆動用二次電池１の電圧を検出して、電池電圧が設定値に低下するまで駆動用二次電池１を放電し、電池電圧が設定電圧まで低下すると、放電を停止させる。駆動用二次電池１の放電を停止する電圧は、駆動用二次電池１を深く放電してメモリ効果を解消できる電圧に設定している。駆動用二次電池１の放電は、駆動用二次電池１の残容量を検出して、残容量が設定値まで低下すると停止することもできる。
［ｎ＝５のステップ］
放電された駆動用二次電池１は残容量が少なくなり、充電された電装用二次電池２は残容量が大きくなっているので、電池制御回路５は、昇圧回路４を制御して、電装用二次電池２を放電して駆動用二次電池１を充電する。駆動用二次電池１が所定容量となるまで充電して、駆動用二次電池１の電圧が設定値となり、あるいは電装用二次電池２の残容量や電圧が設定値になると駆動用二次電池１の充電を停止する。
【００２８】
ハイブリッドカーが長期間使用されないとき、駆動用二次電池１の残容量は次第に小さくなる。そのまま放置すると、駆動用二次電池１が所定の出力を発揮できなくなり、あるいは、駆動用二次電池１の残容量がさらに減少し続けて、電池性能が低下する。このとき、電池制御回路５は、電装用二次電池２で駆動用二次電池１を充電する。駆動用二次電池１のニッケル−水素電池は、電装用二次電池２の鉛電池に比較して長期保存特性が悪い。このため、駆動用二次電池１が長期間充電されないで残容量が少なくなったとき、電装用二次電池２は駆動用二次電池１を充電できる残容量となる。電池制御回路５は、この状態を検出すると、図５に示すフローチャートで電装用二次電池２で駆動用二次電池１を充電する。この制御は、電装用二次電池２で駆動用二次電池１の長期保存特性を向上できる。
【００２９】
［ｎ＝１のステップ］
電池制御回路５は、駆動用二次電池１の残容量が設定値よりも少なくなったかどうか、あるいは残容量がさらに減り続けるかどうか検出する。
［ｎ＝２のステップ］
駆動用二次電池１の残容量が設定値よりも少なくなり、あるいはさらに減少し続けるとき、駆動用二次電池１が所定の出力を発揮できなくなり、あるいは電池性能が低下する。したがって、この状態になると、電池制御回路５は昇圧回路４を制御して、電装用二次電池２を放電して駆動用二次電池１を充電する。
［ｎ＝３〜４のステップ］
電池制御回路５は、放電している電装用二次電池２の残容量を検出し、残容量が設定値になるまで、電装用二次電池２で駆動用二次電池１を充電する。電池制御回路５は、電装用二次電池２の電圧を検出して、電池電圧が設定値に低下するまで、電装用二次電池２で駆動用二次電池１を充電することもできる。電装用二次電池２の残容量または電池電圧が設定値まで低下すると、電池制御回路５は電装用二次電池２の放電を停止させる。
【００３０】
駆動用二次電池１は、多数の電池を直列に接続して出力電圧を高くしている。多数の二次電池が直列に接続されて同じ電流で充放電されるとき、各々の電池に残容量（ＳＯＣ）の差が発生する。ハイブリッドカーの駆動用二次電池１は、複数の二次電池を直列に接続して電池モジュールとし、この電池モジュールを複数個直列に接続している。この構造の駆動用二次電池１は、充放電を繰り返すにしたがって、各々の二次電池の残容量に差が発生し、また、各々の電池モジュールの残容量にも差ができる。電池の容量差は、電池を設置している場所による温度差等が原因で発生する。残容量の差が発生すると、駆動用二次電池１全体としての性能に悪影響がある。たとえば、残容量の大きい電池は過充電されやすく、残容量の小さい電池は過放電されやすくなる。電池制御回路５は、各々の二次電池の残容量の差を検出し、あるいは各々の電池モジュールの残容量の差を検出し、残容量の差が大きくなると、駆動用二次電池１を深く充電して、残容量の差を少なくする。電池制御回路５は、昇圧回路４を制御して、電装用二次電池２で駆動用二次電池１を充電するので、低電流で駆動用二次電池１を充電することができる。低電流で充電される駆動用二次電池１は、過充電するまで充電すると残容量の差を最も少なくできる。すなわち、過充電するまで充電することによって、電池の残容量のばらつきを有効に解消できる。また、低電流で充電される駆動用二次電池１は、過充電による電池性能の低下を最も少なくできる。さらに、電装用二次電池２も低電流放電されて、駆動用二次電池１を効率よく充電できる。
【００３１】
この制御は、図６のフローチャートで示すように、次のステップで駆動用二次電池１を深く充電して残容量の差を少なくする。
［ｎ＝１のステップ］
電池制御回路５は、電池の残容量の差が設定値よりも大きいかどうか、あるいは残容量の差がさらに増加し続けるかどうかを検出する。
［ｎ＝２〜４のステップ］
電池の残容量の差が設定値よりも大きく、あるいは残容量の差が設定値よりも増加し続けると、電池制御回路５は、昇圧回路４を制御して、電装用二次電池２で駆動用二次電池１を充電する。電池制御回路５は、低電流で駆動用二次電池１を充電する。電装用二次電池２は、放電されて残容量が少なくなる。電装用二次電池２が過放電しないように、電池制御回路５は電装用二次電池２の残容量を検出する。電装用二次電池２の残容量が設定値になると、駆動用二次電池１の充電を停止する。電池制御回路５は、電装用二次電池２の電圧を検出し、電圧が設定値まで低下すると、駆動用二次電池１の充電を停止することもできる。
［ｎ＝５のステップ］
放電された電装用二次電池２は残容量が少なくなり、充電された駆動用二次電池１は残容量が大きくなっているので、電池制御回路５は、降圧回路３を制御して、駆動用二次電池１を放電して電装用二次電池２を充電する。電池制御回路５は、駆動用二次電池１の残容量を検出して、残容量が設定値に低下するまで駆動用二次電池１を放電する。駆動用二次電池１が所定の残容量となると、放電を停止する。
【００３２】
駆動用二次電池１は、負荷であるモーター８に電力を供給して放電される。駆動用二次電池１がモーター８に供給する電力は、ハイブリッドカーのメインコントローラーで制御される。電装用二次電池２は、電装品９に電力を供給する。駆動用二次電池１と電装用二次電池２は、放電されて残容量が減少する。電池充電回路６は、ハイブリッドカーが走行するときに、発電機７で駆動用二次電池１と電装用二次電池２を別々に制御して充電する。
【００３３】
図の電源装置は、主発電機７Ａと副発電機７Ｂとを備えている。主発電機７Ａは、ハイブリッドカーのエンジンで駆動され、さらにハイブリッドカーを回生制動するときに、ハイブリッドカーの慣性制動によっても駆動される。副発電機７Ｂは、ハイブリッドカーのエンジンのみで駆動される。副発電機７Ｂは、エンジンのみで駆動されるので、エンジンの出力を消費する。また、副発電機７Ｂは、出力電流が小さいときに、発電効率が悪くなる特性がある。したがって、副発電機７Ｂによらず、主発電機７Ａで駆動用二次電池１と電装用二次電池２の両方を充電して発電効率を高くできる。とくに、主発電機７Ａが回生制動で発電するとき、駆動用二次電池１の残容量が設定値よりも大きくて、充電する必要がないことがある。このとき、電池充電回路６は、主発電機７Ａで電装用二次電池２を充電して効率よく充電できる。
【００３４】
図の電源装置は、電装用二次電池２を充電する副発電機７Ｂも備える。副発電機７Ｂは、駆動用二次電池１を充電することなく、電装用二次電池２のみを充電する。副発電機７Ｂと主発電機７Ａの両方を備えるハイブリッドカーの電源装置は、主発電機７Ａが故障して駆動用二次電池１を充電できない状態となっても、電装用二次電池２を副発電機７Ｂで充電しながらエンジンで走行できる。
【００３５】
この電源装置は、駆動用二次電池１と電装用二次電池２の両方を、主として主発電機７Ａで充電し、主発電機７Ａで電装用二次電池２を充電できないとき、あるいは主発電機７Ａの出力で、電装用二次電池２の充電電力が不足するときに、副発電機７Ｂで電装用二次電池２を充電する。
【００３６】
【発明の効果】
本発明は、駆動用二次電池と電装用二次電池の特性を有効に活用しながら、駆動用二次電池と電装用二次電池をより理想に近い状態で使用できる特長がある。それは、本発明の電源装置が、駆動用二次電池の出力電圧を電装用二次電池を充電する電圧に変換する降圧回路と、電装用二次電池の出力電圧を駆動用二次電池を充電する電圧に変換する昇圧回路とを備え、電池制御回路で降圧回路と昇圧回路を制御して、駆動用二次電池と電装用二次電池の間で相互に充放電しているからである。とくに、本発明は、温度特性や長期保存特性が悪い駆動用二次電池を温度特性と長期保存特性に優れている電装用二次電池で充電し、充電効率が悪い電装用二次電池を充電効率に優れた駆動用二次電池で充電するので、両電池のもつ好ましい特性を有効に活用しながら、高価である駆動用二次電池を理想的な状態で使用して長寿命にできる。
【図面の簡単な説明】
【図１】本発明の一実施例にかかるハイブリッドカーの電源装置のブロック図
【図２】駆動用二次電池の残容量と内部抵抗を検出するフローチャート
【図３】駆動用二次電池を加温するフローチャート
【図４】駆動用二次電池のメモリ効果を解消するフローチャート
【図５】駆動用二次電池を充電して長期保存特性を向上するフローチャート
【図６】駆動用二次電池の残容量の差を少なくするフローチャート
【符号の説明】
１…駆動用二次電池
２…電装用二次電池
３…降圧回路
４…昇圧回路
５…電池制御回路
６…電池充電回路
７…発電機              ７Ａ…主発電機          ７Ｂ…副発電機
８…モーター
９…電装品
【図１】
0003706565.tif 000002
【図２】
0003706565.tif 000003
【図３】
0003706565.tif 000004
【図４】
0003706565.tif 000005
【図５】
0003706565.tif 000006
【図６】
0003706565.tif 000007